(57)【要約】【課題】温度調整用のサーモツマミと握り部の距離が短く、使い勝手の良いアイロン装置を提供する。【解決手段】ヒータ（図示せず）によって加熱され、水を気化させる気化室（図示せず）を有するベース２と、気化室に供給する水を貯えるタンク３と、ベース２の上方に配設され握り部６を有する把手５と、タンク３を把手５に着脱自在に取り付けるロック装置１０と、タンク３を把手５より離脱させるロック釦１１と、ヒータへの通電を制御してベース２の温度を調節する温度制御手段（図示せず）と、ベース２の温度を設定するための操作部９を有するサーモツマミ８を具備し、サーモツマミ８とロック釦１１を握り部６の前方に配すると共に互いに上下に位置させたもので、握り部６からサーモツマミ８までの距離が短くなり、温度設定時の操作が容易で、使い勝手が向上する。【選択図】図１
2006110041.tif 000002
【特許請求の範囲】
【請求項１】
ヒータによって加熱され、水を気化させる気化室を有するベースと、前記気化室に供給する水を貯えるタンクと、前記ベースの上方に配設され握り部を有する把手と、前記タンクを前記把手に着脱自在に取り付ける着脱装置と、前記タンクを前記把手より離脱させるロック釦と、前記ヒータへの通電を制御して前記ベースの温度を調節する温度制御手段と、前記ベースの温度を設定するための操作部を有するサーモツマミを具備し、前記サーモツマミと前記ロック釦を前記握り部の前方に配すると共に互いに上下に位置するように配設したアイロン。
【請求項２】
操作部とロック釦を垂直方向で略同軸上に設けた請求項１に記載のアイロン。
【発明の詳細な説明】
【技術分野】
【０００１】
本発明は、衣類等のしわ伸ばしを行うアイロンに関するものである。
【背景技術】
【０００２】
従来の、この種のアイロンとして、握り部の前部にベースの温度を設定するサーモツマミと、タンクを着脱するロック釦を前後方向に配設したものがある（例えば、特許文献１参照）。
【０００３】
図４は、前記特許文献１に記載された従来のアイロンの前部断面図である。以下にその構成について説明する。
【０００４】
アイロン本体２０の下方にはヒータ２１によって加熱され、水を気化させる気化室２２を有するベース２３と、ベース２３の上方に断熱板２４を介して配置した貯水用のタンク２５と、ベース２３の上方に配設した把手２６と、ヒータ２１への通電を制御してベース２３の温度を設定するサーモツマミ２７と、タンク２５を着脱するロック釦２８が設けられている。
【０００５】
以上のように構成されたアイロンについて、その動作を説明する。アイロン掛けをするときは、使用者は、アイロン掛けをする衣類に合わせた温度に設定するために、アイロン本体２０に設けたサーモツマミ２７を回動させて任意の温度に調節するようになっている。
【特許文献１】特開昭６１−１６４５９６号公報
【発明の開示】
【発明が解決しようとする課題】
【０００６】
しかしながら、上記従来のアイロンでは、アイロン掛けを行う衣類に適した温度に調節するために、サーモツマミ２７を回動させて温度設定するようにしているが、把手２６の握り部２６ａの上面前方に、タンク２５を着脱するためのロック釦２８があり、そのロック釦２８より前側にサーモツマミ２７が配置されているので、サーモツマミ２７までの距離が長く、指を伸ばして温度設定するために使い勝手が悪いという課題があった。
【０００７】
本発明は、前記従来の課題を解決するもので、把手の握り部からサーモツマミまでの距離が短く、使い勝手の良いアイロンを提供することを目的とする。
【課題を解決するための手段】
【０００８】
前記従来の課題を解決するために、本発明のアイロンは、ヒータによって加熱され、水を気化させる気化室を有するベースと、前記気化室に供給する水を貯えるタンクと、前記ベースの上方に配設され握り部を有する把手と、前記タンクを前記把手に着脱自在に取り付ける着脱装置と、前記タンクを前記把手より離脱させるロック釦と、前記ヒータへの通電を制御して前記ベースの温度を調節する温度制御手段と、前記ベースの温度を設定するための操作部を有するサーモツマミを具備し、前記サーモツマミと前記ロック釦を前記握り部の前方に配すると共に互いに上下に位置するように配設したもので、使用者がアイロン掛けを行う衣類に適した温度に調整するときに、握り部からサーモツマミまでの距離が短くなり、設定時の操作を容易にすることができ、使い勝手の向上を実現することができる。
【発明の効果】
【０００９】
本発明のアイロンは、握り部からサーモツマミまでの距離が短くなり、アイロン掛け時の使い勝手が非常によいものである。
【発明を実施するための最良の形態】
【００１０】
第１の発明は、ヒータによって加熱され、水を気化させる気化室を有するベースと、前記気化室に供給する水を貯えるタンクと、前記ベースの上方に配設され握り部を有する把手と、前記タンクを前記把手に着脱自在に取り付ける着脱装置と、前記タンクを前記把手より離脱させるロック釦と、前記ヒータへの通電を制御して前記ベースの温度を調節する温度制御手段と、前記ベースの温度を設定するための操作部を有するサーモツマミを具備し、前記サーモツマミと前記ロック釦を前記握り部の前方に配すると共に互いに上下に位置するように配設したもので、使用者がアイロン掛けを行う衣類に適した温度に調整するときに、握り部からサーモツマミまでの距離が短くなり、設定時の操作を容易にすることができ、使い勝手の向上を実現することができる。
【００１１】
第２の発明は、特に、第１の発明の操作部とロック釦を垂直方向で略同軸上に設けたもので、握り部前方からサーモツマミまでの距離がより短くなり、使用者がアイロン掛けをする衣類に合わせた温度に設定するときに操作部を確実に操作することができ、使い勝手の向上を実現することができる。
【００１２】
以下、本発明の実施の形態について、図面を参照しながら説明する。なお、本実施の形態によって本発明が限定されるものではない。
【００１３】
（実施の形態１）
図１は、本発明の第１の実施の形態におけるアイロンの右側面図、図２は、同アイロンの左側面図、図３は、同アイロンの上面図である。
【００１４】
図１において、アイロン本体１は、ヒータ（図示せず）によって加熱され水を気化させる気化室（図示せず）を有するベース２と、ベース２の上方に断熱板４を介して配置されたタンク３と、ベース２の上方に配設され握り部６を有する把手５と、ヒータへの通電を制御してベース２の温度を調節する温度制御手段７と、使用者が温度設定するための操作部９を有しベース２の温度を回転式で設定するサーモツマミ８を備えている。
【００１５】
タンク３は、水を蓄えると共に、気化室（図示せず）へ水を供給するためのものであり、サーモツマミ８の下方に設けたロック装置１０を介して把手５に着脱自在に取り付けられ、同じくサーモツマミ８の下方に設けたロック釦１１を操作することにより、タンク３をアイロン本体１から取り外すことができる。サーモツマミ８は、把手５の握り部６の前方に設けられている。
【００１６】
以上のように構成されたアイロンについて、以下その動作、作用を説明する。
【００１７】
サーモツマミ８とロック装置１０およびロック釦１１が上下方向に配設されているので、握り部６とその前方にあるサーモツマミ８の操作部９までの距離が短くなり、指を伸ばさなくても温度設定をすることができ、操作性がよくなり、アイロン本体１の使い勝手の向上を実現できるものである。
【００１８】
また、タンク３に注水する為に、タンク３をアイロン本体１から取り外す場合においても、把手５の握り部６前方からロック釦１１までの距離が短くすることができ、タンク３の着脱操作においても、使い勝手の向上を実現できるものである。
【産業上の利用可能性】
【００１９】
以上のように、本発明にかかるアイロンは、温度調整するサーモツマミの操作部の操作性、使い勝手が優れているので、衣類等のしわ伸ばしを行うアイロンに限らず、スチーム機能を搭載した各種熱器具にも広く適用できるものである。
【図面の簡単な説明】
【００２０】
【図１】本発明の実施の形態１におけるアイロンの右側面図
【図２】同アイロンの左側面図
【図３】同アイロンの上面図
【図４】従来のアイロンの前部断面図
【符号の説明】
【００２１】
１  アイロン本体
２  ベース
３  タンク
５  把手
６  握り部
７  温度制御手段
８  サーモツマミ
９  操作部
１０  ロック装置（着脱装置）
１１  ロック釦
【図１】
2006110041.tif 000003
【図２】
2006110041.tif 000004
【図３】
2006110041.tif 000005
【図４】
2006110041.tif 000006